(57)【要約】【課題】従来の電子番組ガイド表示装置は、視聴予約チャンネルから他チャンネルに切換後、また視聴予約チャンネルに戻るときは、視聴予約チャンネルを調べてチャンネル切換えを行う必要があった。【解決手段】放送電波から電子番組ガイド情報を抽出するチューナ部と、電子番組ガイド情報から電子番組表を作成すると共に視聴者チャンネルを生成する電子番組ガイド処理部と、電子番組表を映像表示させる映像制御部と、視聴者チャンネルの番組をチューナ部から取得して映像制御部に表示制御する中央演算処理部と、電子番組表を映像表示させる映像制御部とを有し、視聴者チャンネルを他チャンネルと同様に１つのチャンネルとして作成することにより、視聴予約チャンネルと他チャンネルとの切換えをスムーズに行うことが可能となる。【選択図】図１
2007142923.tif 000002
【特許請求の範囲】
【請求項１】
放送電波から電子番組ガイド情報を抽出するチューナ部と、前記電子番組ガイド情報から電子番組表を作成する電子番組ガイド処理部と、前記電子番組表を映像表示させる映像制御部とをもった電子番組ガイド表示装置であって、
前記電子番組ガイド処理部は、前記電子番組ガイド情報から番組情報を抽出する番組情報抽出部と、前記番組情報から視聴者特有の視聴者チャンネルの生成とチャンネル割当てを行って管理するチャンネル生成・管理部とを備えたことを特徴とする電子番組ガイド表示装置。
【請求項２】
前記視聴者チャンネルの選局時に前記視聴者チャンネルの番組を前記チューナ部から取得して前記映像制御部に表示制御する中央演算処理部を特徴とする請求項１記載の電子番組ガイド表示装置。
【請求項３】
前記電子番組ガイド処理部は、視聴者のお好み番組の番組選択条件を入力する番組選択条件入力部と、前記番組選択条件と前記番組情報から視聴者のお好み番組を分析するお好み番組分析部とを備えたことを特徴とする請求項１記載の電子番組ガイド表示装置。
【請求項４】
前記電子番組ガイド処理部は、前記視聴者チャンネルを組込んだ電子番組表を生成する番組表生成部を備えたことを特徴とする請求項３記載の電子番組ガイド表示装置。
【請求項５】
前記電子番組ガイド処理部は、前記視聴者チャンネルの同一時間帯で複数の番組が重複したことを表示する電子番組表を生成する番組表生成部を備えたことを特徴とする請求項１記載の電子番組ガイド表示装置。
【請求項６】
前記電子番組ガイド処理部は、前記視聴者チャンネルの同一時間帯で重複した複数の番組を外部機器に記録させる外部機器録画管理部を備えたことを特徴とする請求項５記載の電子番組ガイド表示装置。
【請求項７】
前記外部機器に記録した番組の視聴時間帯を前記視聴者チャンネルに設定管理する外部機器視聴管理部を備えたことを特徴とする請求項６記載の電子番組ガイド表示装置。
【請求項８】
前記視聴者チャンネルの同一時間帯で重複した複数の番組を前記映像制御部に複数画面で表示制御させる中央演算処理部を備えたことを特徴とする請求項５記載の電子番組ガイド表示装置。
【請求項９】
前記中央演算処理部は、前記視聴者チャンネルの同一時間帯で重複した複数の番組の主画面番組終了時に他の番組を主画面表示に切換えることを特徴とする請求項８記載の電子番組ガイド表示装置。
【請求項１０】
放送電波から電子番組ガイド情報を抽出し、前記電子番組ガイド情報から電子番組表を作成し、前記電子番組表を映像表示させる電子番組ガイド表示方法であって、前記電子番組表の作成は、前記電子番組ガイド情報から番組情報を抽出し、前記番組情報から視聴者特有の視聴者チャンネルの生成とチャンネル割当てを行って管理することを特徴とする電子番組ガイド表示方法。
【請求項１１】
前記電子番組表の作成は、視聴者のお好み番組の番組選択条件を入力し、前記番組選択条件と前記番組情報から視聴者のお好み番組を分析し、前記お好み番組により作成された番組を設定した前記視聴者チャンネルを組込んだ電子番組表を生成することを特徴とする請求項１０記載の電子番組ガイド表示方法。
【請求項１２】
前記電子番組表の作成は、前記視聴者チャンネルの同一時間帯で複数の番組が重複したことを表示する電子番組表を生成し、前記視聴者チャンネルの同一時間帯で重複した複数の番組を外部機器に記録させることを特徴とする請求項１０記載の電子番組ガイド表示方法。
【請求項１３】
前記電子番組表の作成は、前記視聴者チャンネルの同一時間帯で複数の番組が重複したことを表示する電子番組表を生成し、前記視聴者チャンネルの同一時間帯で重複した複数の番組を前記映像制御部に複数画面で表示制御させることを特徴とする請求項１０記載の電子番組ガイド表示方法。
【発明の詳細な説明】
【技術分野】
【０００１】
本発明は、電子番組ガイド（ＥＰＧ）情報を利用した、電子番組ガイド表示装置および表示制御方法に関するものである。
【背景技術】
【０００２】
従来の電子番組ガイド表示装置および表示では、あらかじめユーザーが設定した条件から最もユーザーが好むと推測される番組や、過去の視聴した実績から番組にポイント付けを行い、上位ポイントの番組でお好み番組テーブルを作成し、図２０のように「一つのチャンネル」といったイメージで番組表にお好み番組２０ａの表示を行い、ユーザーの番組選択のサポートを行っている。さらに、同一時間帯に複数のお好み番組が存在する場合は、「お好み欄」を立体的に表示させて複数の番組が候補として挙がっていることを明示すると共に、３秒毎に番組の表示内容を切り替えるトグル動作２０ｂを行いユーザーに告知する機能も有している（特許文献１）。
【０００３】
また、従来の電子番組ガイド表示装置および表示方法では、図２１のフローチャートのように、システム装置に接続されている録画再生機能、または再生機能を有する外部機器に記録された番組情報を取得し（Ｓ９６０）、事前に分析されたお好み番組の条件に合致する録画予約で且つ未再生の番組を検出し（Ｓ９７０）、有れば外部機器情報より番組情報を取得し（Ｓ９８０）、お好み番組表に再表示を行う事により、録画済み番組のユーザーの視聴忘れを軽減する機能を有している（特許文献２）。
【特許文献１】特開２００１−１３６４５４号公報
【特許文献２】特開２０００−２５３３２５号公報
【発明の開示】
【発明が解決しようとする課題】
【０００４】
しかしながら、前記従来の構成・仕様では、お好み番組テーブルを「一つのチャンネル」として番組表に併記する機能は、多チャンネル時代において多くの番組の中から、ユーザーが好みの番組を選択する手助けとなる機能ではあるが、実際に視聴予約（録画を含む）を行った後の視聴時におけるユーザーの操作性に関してはあまり配慮がされていない。例えば、視聴予約チャンネルから他チャンネルに切換後、また視聴予約チャンネルに戻るときは、視聴予約チャンネルを調べてチャンネル切換えを行う必要がある。
【０００５】
また、同一時間帯で２番組の視聴番組が重なった場合に重複している事の告知自体はされているが、その場合、視聴予約、録画予約といった２パターンの操作しか選択肢がなく、放送日に視聴するべき番組の視聴タイミングを逸してしまう可能性があった。
【０００６】
さらに、２番組の後半、前半が若干重なるような視聴予約を行う場合、どちらかの番組を録画して後に視聴するか、あるいはリモコンでこまめに２つの番組を切換えるといった作業が発生していた。
【課題を解決するための手段】
【０００７】
前記従来の課題を解決するために、本発明の電子番組ガイド表示装置および表示方法は、放送電波から電子番組ガイド情報を抽出するチューナ部と、電子番組ガイド情報から電子番組表を作成すると共に視聴者チャンネルを生成する電子番組ガイド処理部と、電子番組表を映像表示させる映像制御部と、視聴者チャンネルの番組をチューナ部から取得して映像制御部に表示制御する中央演算処理部と、電子番組表を映像表示させる映像制御部とを有し、視聴者チャンネルを他チャンネルと同様に１つのチャンネルとして作成する。
【０００８】
本構成によって、本発明の電子番組ガイド表示装置および表示方法は、視聴者が視聴予約（録画予約）を行った番組を任意に設定可能な仮想チャンネルである視聴者チャンネルに割当て、リモコンにてそのチャンネル番号を選択する事で予約チャンネルに切換を行うこととなる。
【０００９】
また、本発明の電子番組ガイド表示装置は、視聴者チャンネルの同一時間帯で重複した複数の番組を外部機器に記録させる外部機器録画管理部と、外部機器に記録した番組の視聴時間帯を視聴者チャンネルに設定管理する外部機器視聴管理部とを有し、放送時間が重複した番組の視聴において、視聴時間を変更する事により視聴予約を可能とするものである。
【００１０】
また、本発明の電子番組ガイド表示装置および表示方法は、視聴者チャンネルの同一時間帯で重複した複数の番組を前記映像表示部に複数画面で表示させる中央演算処理部を有し、２番組で一部放送時間が重複するような場合に２画面表示をおこない、両番組の視聴を可能とするものである。
【発明の効果】
【００１１】
本発明の電子番組ガイド表示装置および表示方法によれば、ユーザーが視聴予約（録画予約）を行った番組を任意に設定可能な仮想チャンネルである視聴者チャンネルに集約する事により、リモコンにてそのチャンネル番号を選択するだけで視聴予約チャンネルに切換可能となり、他チャンネル間とのチャンネル切換をスムーズに行うことが可能となる。
【００１２】
また、本発明の電子番組ガイド表示装置および表示方法によれば、予約作業を行う場合に通常視聴予約、録画予約、視聴時間変更の視聴予約といった予約内容の細分化を行い、予約時点で視聴時間をあらかじめ設定可能とすることにより番組の視聴タイミングを損なうことを防ぎ、さらには前番組の後半と後番組の前半が若干重なるような視聴予約の場合は、重複する時間から２画面表示にて両番組の視聴を可能とし番組視聴時の効率化を図ることが可能となる。
【発明を実施するための最良の形態】
【００１３】
以下本発明を実施するための最良の形態について、図面を参照しながら説明する。
【００１４】
（実施の形態１）
（１）電子番組ガイド表示装置の構成
まず、本発明の電子番組ガイド表示装置の構成について説明する。図１は、本発明の実施の形態１における電子番組ガイド表示装置を搭載したテレビジョン受信機１１０の構成図である。
【００１５】
図１においてテレビジョン受信機１１０は、チューナ部１２０と、ＥＰＧ処理部１３０と、中央演算処理部１４０と、映像音声制御部１５０と、映像表示部１６０と、音声出力部１７０と、リモコン受信部１８０と、外部インターフェイス部１９０から構成される。
【００１６】
そして、テレビジョン受信機１１０は図１のように、チューナ部１２０には、アンテナ１２１が接続されており、アンテナ１２１で受信したテレビ放送電波をチューナ部１２０が映像信号と音声信号に変換し、映像音声制御部１５０が映像と音声を映像表示部１６０と音声出力部１７０に出力制御する。また、チューナ部１２０は、アンテナ１２１より受信されるテレビジョン放送電波からＥＰＧ情報を抽出し、ＥＰＧ処理部１３０に出力する。そして、ＥＰＧ処理部１３０が作成した電子番組ガイドを、中央演算処理部１４０が映像表示に関する演算処理を行い、映像音声制御部１５０が映像を映像表示部１６０に出力する。
【００１７】
外部インターフェイス部１９０には、ＨＤレコーダーやＤＶＤレコーダーなどの外部機器１９１が接続されており、外部機器１９１から出力された映像信号と音声信号を入力し、中央演算処理部１４０と映像音声制御部１５０を経由して映像表示部１６０と音声出力部１７０に出力する。また、外部インターフェイス部１９０は、ＥＰＧ処理部１３０からの指示により、外部機器１９１の接続状況や視聴・録画指示を外部機器に行う。
【００１８】
また、リモコン受信部１８０はテレビジョン受信機１１０の外部にあるリモコン１８１からの赤外線による制御信号を受信し、制御信号を中央演算処理部１４０に伝達する。中央演算部１４０は、リモコン１８１からの制御信号に従って、チャンネル切換え、ＥＰＧ表示、ＥＰＧによる視聴・録画予約などを行う。
【００１９】
図１においてチューナ部１２０はアンテナ１２１からアナログ及びデジタルテレビ放送波を受信し、映像信号に変換を行っていると共に、テレビ放送波に含まれているＥＰＧ信号をＥＰＧ処理部１３０に入力している。
【００２０】
ＥＰＧ処理部１３０は、チューナ部１２０により出力されるＥＰＧ信号からＥＰＧ情報を抽出する番組情報抽出部１３１と、抽出されたＥＰＧ情報、過去の視聴実績、チャンネル情報等を保存するデータ保存部１３２と、予め視聴者のお好み番組の番組選択条件を入力する番組選択条件入力部１３３と、過去の視聴実績、お好み番組の番組選択条件よりお好み番組の分析を行うお好み番組分析部１３４と、データ管理部１３２に保存されているＥＰＧ情報とお好み番組分析部１３４で分析したお好み番組から視聴者オリジナルのチャンネルであるマイチャンネルの生成とマイチャンネルを含む全チャンネルの管理を行うチャンネル生成・管理部１３５と、チャンネル生成・管理部１３５が管理するマイチャンネルを組込んだ全チャンネルの電子番組表を作成する番組表生成部１３６と、接続されている外部機器の管理をおこなう外部機器管理部１３７と、視聴者チャンネルに登録するだけの指定、視聴予約、外部機器１９１への録画予約および外部機器１９１に記録した番組の視聴時間を設定管理する視聴・録画管理部１３８とを関連させて電子番組ガイド表示制御を行うように構成している。
【００２１】
さらに、ＥＰＧ処理部１３０の各構成について説明しますと、番組情報抽出部１３１は、チューナ部１２０より出力されるＥＰＧ信号よりＥＰＧ情報の分離抽出を行う。データ保存部１３２では、番組情報抽出部１３１にて抽出されたＥＰＧ情報や、お好み番組分析部１３４にて分析された過去の視聴実績データ、お好み番組データ等のデータの蓄積・保存を行う。番組選択条件入力部１３３は、ＥＰＧ情報により分類された番組のジャンルやカテゴリー等に従って、ユーザーがあらかじめ好みの番組を選別する場合のお好みのジャンル、カテゴリー等をリモコン１８１により行うように選択条件を入力する。
【００２２】
お好み番組分析部１３４は、番組選択条件入力部１３３にて選択されたジャンル、カテゴリーに合致する番組を番組情報抽出部１３１で抽出したＥＰＧ情報より抽出すると共に、ユーザーが過去に視聴している番組の視聴回数を視聴実績より算出し、時間帯毎（１時間枠）で最大５番組までをお好み番組として抽出し、お好み番組データとして分析を行う。
【００２３】
チャンネル生成・管理部１３５は、番組情報抽出部１３１により受信可能なチャンネル（ＣＡＴＶチャンネルも含む）を判別し、通常の放送局の番組データ一覧を作成すると共に、ユーザーの選択により番組選択条件入力部１３３やお好み番組分析部１３４で分析されたデータからマイチャンネルを作成すると共に、他の放送局と同様にチャンネル割当てして定義する。そして、マイチャンネルを含んだ全ての番組データを生成する。番組表生成部１３６は、データ保存部１３２に保存されているＥＰＧ情報、お好み番組データ、マイチャンネルデータを参照し、縦軸に時間、横軸にチャンネルの形式で電子番組表を作成する。
【００２４】
外部機器管理部１３７は、外部インターフェイス部１９０を介して接続される外部機器１９１の外部機器情報（録画再生機能の有無、録画残容量）と外部機器１９１に保存されている番組情報（番組名、放送ＣＨ、番組内容）を取得し、外部機器データ作成すると共にデータ保存部１３２に保存を行う。
【００２５】
視聴・録画管理部１３８は、番組表生成部１３５にて生成された番組表を表示部１６０に表示しリモコン１８１により視聴指定、視聴予約、録画予約を行うと共に、視聴指定、視聴予約、録画予約された番組の視聴、録画の制御を行う。視聴指定、視聴予約、録画予約された番組は、マイチャンネルに自動的に設定されマイチャンネルデータが作成される。視聴・録画管理部１３８は、このマイチャンネルデータを参照し、視聴予約された番組の放送開始時間が来たときには、予約された番組のチャンネルに自動的にチャンネル切換を行い、視聴時間を変更して視聴予約した場合は、変更前の放送開始時間が来た時点で外部インターフェイス部１９０を経由して外部機器１９１に該当番組の録画指示を行い、変更後の視聴予約時間が来た時点で自動的に外部機器１９１に対して録画番組の再生指示を行います。同様に録画予約を行った場合も外部インターフェイス部１９０を経由して外部機器１９１に録画指示を行う。
【００２６】
中央演算処理部１４０は、チューナ部１２０、ＥＰＧ処理部１３０、映像音声制御部１５０、リモコン受信部１８０、外部インターフェイス部１９０に接続され各装置から入力された信号などにより番組やＥＰＧ番組表を視聴する制御を行う。
【００２７】
例えば、ユーザーがマイチャンネルに視聴指定された番組を視聴したいとき、中央演算処理部１４０は、リモコン１８１で入力されたＥＰＧ番組表の表示指示を受け、ＥＰＧ処理１３０で作成したマイチャンネルをＥＰＧ処理部１３０から取り出し、映像音声制御部１５０に入力し、映像表示部１６０に表示させる。次に、中央演算処理部１４０は、リモコン１８１で入力されたＥＰＧ番組表のマイチャンネルの番組の選択指示を受け、チューナ部１２０に選局指示を出すと共に、映像音声制御部１５０にチューナ部１２０からの入力する番組を映像表示部１６０と音声出力部１７０に出力する指示を出す。
【００２８】
これによりＥＰＧ番組表のマイチャンネルで視聴指示されている番組を、チューナ部１２０から映像音声制御部１５０経由で映像表示部１６０と音声出力部１７０から出力され、番組視聴を可能とすることができる。
【００２９】
映像音声制御部１５０は、チューナ部１２０からの映像、音声ストリームデータを映像信号、音声信号に変換し、映像表示部１６０と音声出力部１７０への出力を行う。或いは、ＥＰＧ処理部１３０から入力されたＥＰＧ番組表を映像表示部１６０と音声出力部１７０へ出力する。番組或いはＥＰＧ番組表の出力は中央演算部１４０の指示により、選択される。
【００３０】
映像表示部１６０は、映像音声制御部１５０にて変換された映像信号を映像として表示し、音声出力部１７０は、映像音声制御部１５０にて変換された音声信号を音声として出力する。
【００３１】
リモコン受信部１８０は、リモコン１８１より送出される赤外線信号を受信し、赤外線信号を各種制御コマンドに変換を行い、中央演算処理部１４０に出力することによりテレビジョン受信機の制御を行えるようにする。
【００３２】
外部インターフェイス部１９０は、ＩＥＥＥ１３９４インターフェイスやアダプタを備えており、これによりＩＥＥＥ１３９４に準拠したネットワークに接続された外部機器１９１（録画機能を有した各種機器）が接続可能な状態となっている。
【００３３】
アンテナ１２１は、アナログ及びデジタルテレビ放送波を受信し、チューナ部１２０に受信した放送波の出力を行う。
【００３４】
外部機器１９１は、録画再生機能を有した機器であり、外部インターフェイス部１９０を介してテレビジョン受信機に接続され、視聴・録画管理部１３８の指示を受けて録画・再生の処理を行う。
【００３５】
リモコン１８１は、チャンネル切換、音量アップ、ダウン等のテレビジョン受信機の制御信号を赤外線にて送出する一般的なリモコンであるが、図２で示すように通常使用するボタン（電源、入力切換、消音、チャンネル＋、チャンネル−、音量＋、音量−、１〜１２の数字キー、画面表示）の他に、マイチャンネルの設定を行うメニューボタン１８１ａ、各種遷移画面にて１つ前の画面に戻るボタン１８１ｂ、番組表の表示指示を行う番組表ボタン１８１ｃ、２画面表示を行っている際のメイン画面サブ・画面の切換を行う２画面ボタン１８１ｄ、各種指定画面にて選択項目を決定する決定ボタン１８１ｅが配置されている。チャンネル＋、チャンネル−、音量＋、音量−の４つのボタンは、電子番組ガイドの表示時には上下左右に動かす矢印キー１８１ｆとして使用される。
【００３６】
（２）電子番組ガイドの表示
次に、電子番組ガイドの表示について説明する。図３および図４は、本発明の実施の形態１における電子番組ガイド表示制御方法により作成され、映像表示部１６０に表示された電子番組ガイド表示の図である。図３はマイチャンネルが設定されていない場合で、図４はマイチャンネルが設定されている場合である。電子番組ガイドは、縦軸に時間帯、横軸に放送局を表示しており、図３および図４では１９時から２３時の時間帯（時間欄３ｂ）における番組を表示しており、右端からの４列は放送局の番組３ｄで、右から５列目はＥＰＧ処理部１３０のお好み番組分析部１３４で分析されたお好み番組３ｃを表示している。そして、左端の列はユーザーがお好み番組、あるいは、複数の放送局の番組から選択した番組を１つの放送局の番組表と同じようにまとめたマイチャンネルの表示欄３ａである。
【００３７】
図３および図４の電子番組ガイド表示は、データ保存部１３２に保存されているＥＰＧ情報、お好み番組データ、マイチャンネルデータを参照して表示されている。番組表の上段には、番組表を表示した日時が表示され、初期状態で視聴指示、視聴予約、録画予約が設定されていない場合は、マイチャンネルデータが存在せず、図３のようにマイチャンネル欄３ａは空欄で表示される。次に、表示されている電子番組表より番組を指定して予約を行う事により、自動的にマイチャンネル欄３ａに指定された番組が設定され、図４のようなマイチャンネル欄３ａの表示となる。
【００３８】
図３の時間欄３ｂは、現在の時間を含む時間帯より５時間分の時間枠が表示される。例えば、現在時刻が１９：０５であれば１９：００〜２３：００の時間帯が表示される。
【００３９】
お好み番組欄３ｃは、お好み番組分析部１３４にて生成されデータ保存部１３２に保存されているお好み番組データを参照し、現在の時間帯枠に属している番組情報の表示が行われる。同一時間帯に複数（最大で５番組）の番組が存在する場合は、図５の番組一覧表のような詳細表示画面への遷移を行う。
【００４０】
通常番組欄３ｄは、チューナ部１２０で受信され番組情報抽出部１３１にて分離され、データ保存部１３２に保存されているＥＰＧ情報が縦軸に時間、横軸に放送局（チャンネル）名の形式で表示される。
【００４１】
マイチャンネル欄３ａは、データ保存部１３２に保存されているマイチャンネルデータが表示される。このマイチャンネルデータは、ユーザーが番組表より視聴指定、視聴予約、録画予約を行った複数のチャンネルの番組が集約された形で表示される。この表示において、視聴予約、録画予約を行った番組には、「視予」３ｆ・「録予」３ｇといったアイコンが該当番組の番組情報と同時に表示される。単に視聴指定のみ行った場合は、図４の３ｈのように前記アイコン表示はされない。また、同一時間帯で１番組を視聴予約、１番組を録画予約した場合は、図４の３ｆ、３ｇのように１時間帯枠に２つの予約情報が表示される。
【００４２】
（３）電子番組ガイド表示方法
さらに、この電子番組ガイドを作成する電子番組ガイド表示方法について説明する。図６は、本発明の実施の形態１における電子番組ガイド装置における番組表生成のフローチャートである。
【００４３】
ＥＰＧ処理部１３０の番組表生成部１３６は、図３および図４で表される電子番組ガイドを図６のフローチャートの順番で作成する。まず、ＥＰＧ処理部１３０はチューナ部１２０から入力したＥＰＧ信号から現在時刻情報をＥＰＧ情報から取得し、電子番組ガイドの表示開始時間を設定する（Ｓ３１０）。次に、番組情報抽出部１３１にて抽出されデータ保存部１３２に保存されたＥＰＧ情報と過去の視聴実績データに番組選択条件入力部１３３にて設定された番組選択条件（好みのジャンル、カテゴリー、キーワード等）を加味し、お好み番組分析部１３４にて分析処理を行い生成されたお好み番組データを時間別に取得する（Ｓ３２０）。次に、番組情報抽出部１３１で抽出されたＥＰＧ情報を用いて現在時刻情報に合致した縦軸に時間帯、横軸に放送局の構成となる通常の電子番組ガイド、つまり図３の電子番組ガイドの右端から４列目までの通常番組表３ｄを作成する（Ｓ３３０）。
【００４４】
次に、Ｓ３２０で取得したお好み番組データの有無で番組表生成部１３６が図３のように電子番組ガイドの右から５列目３ｃにお好み番組欄として時間帯ごとに設定していく。まず時間帯ごとにお好み番組が存在するかの判定を行う（Ｓ３４０）。各時間帯においてお好み番組が存在しない場合は、お好み番組欄の所定の時間帯は空欄表示となる（Ｓ３４１）。次に、各時間帯においてお好み番組が存在する場合、お好み番組が複数あるか判定を行う（Ｓ３５０）。
【００４５】
この際、所定の時間帯に１番組のみ存在する場合は、お好み番組欄の該当時間帯にそのお好み番組が設定される（Ｓ３５１）。複数のお好み番組が重なって存在する場合は、お好み番組欄の該当時間帯の表示は図３の３ｅのような表示形式となる（Ｓ３６０）。この場合の操作としては図２のリモコン１８１の矢印キー１８１ｆを使用し、カーソルを番組表の３ｅに移動後決定ボタン１８１ｅを押すと図５の番組一覧表５ａに遷移し、番組一覧表５ａでは１９：００〜２１：００までの時間帯において重複したお好み番組５ｂ、５ｃ、５ｄが一覧表示されると共に、『視聴予約、録画予約をする場合は、矢印キーで番組を指定し「矢印キー」を押してください。』とマイチャンネルに登録する番組選択を促す表示を行う。
【００４６】
次に、この番組表に予約番組を集約した仮想チャンネルであるマイチャンネル欄を設定して行くのであるが、まずこのマイチャンネル設定を有効にするか否かの確認を行う（Ｓ３７０）。マイチャンネル設定は、図２のリモコン１８１にてメニューボタン１８１ａを押して映像表示部１６０に表示される各種設定メニュー内の図７で表される「ＥＰＧの設定」においてマイチャンネルの設定のＯＮ／ＯＦＦ７ａ、設定チャンネル番号７ｂにて設定で行う。マイチャンネルに設定するチャンネル番号は、使用されていないチャンネル番号、例えば「７」などを使用すれば、他のチャンネルと同様に「７」を１回押すだけで選局することが可能となる。
【００４７】
マイチャンネル設定がＯＮの場合は、次にマイチャンネル欄にマイチャンネルデータ（予約データ）を時間帯ごとに設定して行くが、データ保存部１３２にマイチャンネルデータ（予約データ）が実際に存在するかどうかの判定を行う（Ｓ３８０）。データが存在しない場合は、マイチャンネル欄は空欄のままで図３のように表示される（Ｓ３８１）が、既に当日のマイチャンネルデータ（予約データ）が登録されている場合は、保存データを読み込み番組表のマイチャンネル欄は図４のような表示となる（Ｓ３９０）。この際、視聴予約、録画予約といった予約データであれば、３ｆ、３ｇのように予約を表すアイコンが表示されるが、単なる視聴指定の場合は３ｈのようにアイコンの表示はされない。
【００４８】
（４）視聴指定／視聴予約・録画予約処理
次に電子番組ガイドを使用した視聴指定・視聴予約、録画予約処理について、図８のフローチャートに従って説明する。
【００４９】
まず、図５のように同一時間帯にお好み番組が複数重なった場合、図２のリモコン１８１の矢印キー１８１ｆを使用し、カーソルを電子番組ガイド表の番組欄５ｂに移動後、決定ボタン１８１ｅを押すと図９のように視聴指定／視聴予約・録画予約ウインドウ９ａが表示される。視聴指定／視聴予約・録画予約ウインドウ９ａでは番組表より指定された番組の詳細情報がデータ管理部１３２のＥＰＧ情報より表示されると共に、視聴指定／視聴予約９ｂ、録画予約９ｃいずれかを選択するアイコンが表示される。そしてまず、視聴指定／視聴予約９ｂを選択するかどうか確認される（Ｓ４１０）
視聴指定／視聴予約・録画予約ウインドウ９ａにて、視聴指定／視聴予約９ｂを選択した場合、オリジナルの電子番組ガイドの放送時間で視聴するか選択する（Ｓ４２０）。そして、オリジナルの放送時間で視聴する場合、マイチャンネルの他の視聴と重複しないことを確認する（Ｓ４３０）。マイチャンネルの他の番組と重ならない場合は、この視聴指定／視聴予約９ｂでは番組の開始・終了時間が視聴時間欄に初期設定される。もし、オリジナルの放送時間帯がマイチャンネルの他の番組と重なった場合でも、オリジナルの放送時間帯に視聴するために重なった時間を削除して他の番組と重複しないように、視聴時間帯を変更することが可能である。このように、他の番組と重なった時間を削除した場合も他の番組と重複していないと判断する。
【００５０】
マイチャンネルの他の番組と重複しない場合、視聴指定／視聴予約９ｂで視聴指定、視聴予約のどちらかを選択する（Ｓ４４０）。そして、ＥＰＧ処理部１３０のデータ管理部１３２にマイチャンネルのデータとして登録され、ＥＰＧ処理部１３０の番組表生成部１３６によって電子番組ガイドのマイチャンネル欄に表示される（Ｓ４５０）。視聴指定、あるいは、視聴予約の選択について、視聴指定を選択した場合は、指定された番組は図４の３ｈのようにマイチャンネルには登録されるが視聴予約はされず、視聴指定した番組の開始時間となっても自動で番組の切換えは行われない。また視聴予約を選択した場合は、図４の３ｆのようにマイチャンネルへの登録と視聴予約が同時に行われ、視聴予約した番組の開始時間に自動で番組の切換えが行われる。
【００５１】
以上はオリジナルの放送時間帯にて視聴するためのマイチャンネル登録を説明したが、次にオリジナルの放送時間帯以外で視聴するためのマイチャンネル登録を説明する。Ｓ４１０、Ｓ４２０、Ｓ４３０のいずれかのステップでＮＯを選択した場合、ＥＰＧ処理部１３０の視聴・録画管理部１３８により外部機器１９１に番組を録画するように管理され、視聴者が指定した視聴時間帯で外部機器が視聴させるために番組を送信するようになる。
【００５２】
Ｓ４１０、Ｓ４２０、Ｓ４３０のいずれかのステップでＮＯを選択した場合、つまり、Ｓ４１０で視聴設定／視聴予約を選択しなかった場合、Ｓ４２０の番組表の放送時間で視聴することを選択しなかった場合、あるいは、Ｓ４３０の他の視聴と重複があった場合は、ＥＰＧ処理部１３０が視聴・視聴予約から録画予約に変更する旨のメッセージを映像表示部１６０の画面上に表示する。
【００５３】
次に視聴指定／視聴予約・録画予約ウインドウ９ａにて録画予約を選択する（Ｓ４６０）。そして、接続された外部機器１９１の存在、録画・再生が可能かどうかを外部機器管理１３７が外部機器インターフェイス１９０を介し調査し（Ｓ４７０）、録画・再生が可能な機器が接続されている場合はその結果を外部機器情報データとしてデータ管理部１３２に保存すると共に映像表示部１６０の画面上に表示する。外部機器１９１が存在しない場合や録画・再生が不可能な場合は、その旨のメッセージを映像表示部１６０の画面上に表示する（Ｓ４９０）。そして、外部機器１９１が録画・再生が可能な状態で接続されている場合は、録画番組の視聴時間帯を選択する（Ｓ４８０）。これらにより、録画予約が指示され、ＥＰＧ処理部１３０のデータ管理部１３２にマイチャンネルの録画予約データとして該当番組の録画予約が登録され、外部機器情報データの録画指示された外部機器に対しては録画予約済みと更新され、ＥＰＧ処理部１３０の番組表生成部１３６によって電子番組ガイドのマイチャンネル欄に表示される（Ｓ４５０）。
【００５４】
また、Ｓ４６０やＳ４８０のステップでＮＯを選択した場合も、ＥＰＧ処理部１３０により、録画予約ができない旨のメッセージを映像表示部１６０の画面上に表示する（Ｓ４９０）。
【００５５】
（５）予約番組の視聴処理
次に、マイチャンネルによる予約番組の視聴処理について、図１０のフローチャートに従って説明する。
【００５６】
まず、ＥＰＧ処理部１３０はチューナ部１２０から入力したＥＰＧ信号から現在時刻情報を取得し、現在時刻を設定する（Ｓ５１０）。データ管理部１３２に保存されているマイチャンネルデータを取得し（Ｓ５２０）、現在時刻にマイチャンネルのデータである視聴指定／視聴予約・録画予約の番組があるかどうかの確認を行う（Ｓ５３０）。そして、現在時刻にマイチャンネルのデータの番組があれば、データ管理部１３２の番組表データの該当番組の開始時間とマイチャンネルデータ（予約データ）で設定されている開始時間を比較して、マイチャンネルデータが録画予約の視聴時間帯であるかどうか確認する（Ｓ５４０）。マイチャンネルデータが録画予約の視聴時間帯の場合は、外部機器管理部１３７がデータ管理部１３２に保存されている外部機器情報データを取得し（Ｓ５５０）、視聴・録画管理部１３８で管理する予約情報と外部機器情報を基に外部インターフェイス１９０を介して対象の外部機器１９１に対し再生コマンドを発行する（Ｓ５６０）。そして、外部機器１９１が録画予約した番組を通常の番組が放送されているように、マイチャンネルに番組映像を表示する（Ｓ５８０）。
【００５７】
また、Ｓ５４０のステップで、マイチャンネルデータが録画予約の視聴時間帯でない場合、視聴指定あるいは視聴予約でオリジナルの放送時間帯での番組であるので、チューナ部１２０から受信された映像音声信号が映像音声制御部１５０を介して、映像表示部１６０、音声出力部１７０にマイチャンネルで設定した番組の映像と音声の出力を行う（Ｓ５４１）。このとき、マイチャンネルデータが視聴指定である場合は、指定された番組はマイチャンネルには登録されているが視聴予約はされていないので、視聴者がマイチャンネル、図７で設定した７チャンネルにチャンネル切換えすることにより、番組映像が表示される。またマイチャンネルデータが視聴予約である場合は、視聴予約した番組の開始時間に自動で番組の切換えが行われ、マイチャンネルの番組映像を表示する（Ｓ５８０）。
【００５８】
（６）予約番組の録画処理
次に、マイチャンネルによる予約番組の録画処理について、図１１のフローチャートに従って説明する。
【００５９】
次に録画処理であるがこれは視聴・録画管理部１３８で制御され、この録画処理について、図１１のフローチャートに従って説明する。
【００６０】
まず、現在時刻に録画予約、視聴予約（時間変更）が設定されているかの確認を行う為に、現在時刻の取得を行う（Ｓ６１０）。
【００６１】
次に、データ保存部１３２に保存されているマイチャンネルデータ（予約データ）の取得を視聴・録画管理部１３８が行い（Ｓ６２０）、現在時間で録画予約、視聴予約（視聴時間変更）の登録の有無判定を行う（Ｓ６３０）。登録が無ければ、録画処理としての動作は発生しない。
【００６２】
登録が有った場合はデータ保存部１３２に保存されている外部機器情報データの取得を視聴・録画管理部１３８が行い（Ｓ６４０）、外部インターフェイス１９０を介してマイチャンネルデータの予約情報と一致する外部機器１９１に対し電源ＯＮコマンド、録画コマンドの発行を行う（Ｓ６５０）。
【００６３】
かかる構成によれば、お好み番組の選択条件と、情報抽出部で抽出された番組表データを用い、番組表生成部にて番組表が生成される。この番組表にはあらかじめユーザー指定で仮想チャンネルであるマイチャンネルが生成され、お好み番組欄を含む番組表より指示をおこなうことにより、このマイチャンネルには視聴予約番組、録画予約およびとりあえず視聴するかもしれない視聴指定番組が設定されて行く。このマイチャンネル情報が他のチャンネル情報と同時にデータ管理部１３２に保存され、これらチャンネルの生成、管理をチャンネル生成・管理部１３６が行うことにより、視聴チャンネルと他チャンネル間のチャンネル切換をスムーズにおこなう事を可能とする。
【００６４】
さらに、番組の視聴時間を変更して視聴予約をおこなう場合、番組はオリジナルの放送時間が来た時点で自動的に録画され、変更された視聴予約時間が来た時点で自動的に再生される。その際、接続された外部機器１９１の有無、録画・再生が可能かどうかを外部機器インターフェイス１９０を介し外部機器管理１３７が調査し、外部機器情報データとしてデータ管理部１３２に保存される。これらの外部機器情報データ、マイチャンネルデータ（予約データ）に設定された視聴予約時間、視聴チャンネル、録画予約の情報を元に視聴・録画管理部１３８が外部機器インターフェイス１９０を介し外部機器１９１に対し、予約された番組の録画・再生の指示を行う。
【００６５】
なお、本実施の形態において、機能搭載装置をテレビジョン受信機としたが、ＥＰＧ情報を利用可能な装置（ＴＶチューナ、チューナ内臓ビデオデッキ、チューナ内臓ＤＶＤデッキ、チューナ内臓パーソナルコンピュータ、デジタル放送受信機等）としても良い。つまり、テレビジョン放送の受信装置であれば良い。
【００６６】
なお、本実施の形態において、仮想チャンネルであるマイチャンネルへの番組登録に関しては、ユーザーが番組表より指示を行って登録される仕様としているが、お好み番組欄に表示されている番組で一番優先順序の高いものを初期設定としてマイチャンネルに自動設定を行っても良い。この機能の実現に関しては、例えば図２のリモコン１８１にてメニューボタン１８１ａを押して映像表示部１６０に表示される各種設定メニュー内の図７で表される「ＥＰＧの設定」の中に、「お好み番組の一番優先順序の高いものを自動で設定」の項目を設け、この機能を有効にした場合、データ保存部１３２に保存されたお好み番組データを番組表生成部１３５がマイチャンネル欄に初期設定を行うものとする。
【００６７】
なお、本実施の形態において、視聴予約、録画予約処理では外部機器１９１に対してのみ制御を行っているが、外部インターフェイス１９０と接続されているネットワーク傘下の録画・再生機能を有した複数の外部機器に関して制御を行っても良い。この場合、外部機器管理部１３７が複数の外部機器のどの機器に関して録画指示を行うかを選択する図１２のような外部機器選択画面を映像表部に表示させ、視聴者が設定した録画指示をデータ管理部に管理させる。
【００６８】
なお、本実施の形態において、視聴予約、前記の視聴処理では外部機器１９１に対してのみ制御を行っているが、外部インターフェイス１９０と接続されているネットワーク傘下の録画・再生機能を有した複数の外部機器に関して制御を行っても良い。
【００６９】
本テレビジョン受信機に備えられた外部インターフェイス１９０は、ネットワークに接続された複数の外部機器に対し機器の認識情報の取得を行い、これらの認識情報に基づき各接続機器に対し、録画、再生コマンドの発行を行う。また、再生された映像・音声信号は外部インターフェイス１９０を介し映像音声制御部１５０に入力され映像表示部１６０、音声出力部１７０より出力される。
【００７０】
なお、本実施の形態において、外部機器の視聴・録画管理部を１構成としたが、外部機器の視聴管理部と録画管理部の２構成にしても良い。
【００７１】
（実施の形態２）
実施の形態１では、マイチャンネルに同一時間帯では１つの番組のみを登録することが可能としたが、実施の形態２では、マイチャンネルに同一時間帯で複数の番組を登録することが可能で、かつ、その複数の番組を複数画面表示により同時に視聴することを可能とする電子番組ガイド表示装置について説明する。
【００７２】
（１）電子番組ガイド表示装置の構成
まず、本発明の電子番組ガイド表示装置の構成について説明する。図１３は、本発明の実施の形態２における電子番組ガイド表示装置を搭載したテレビジョン受信機２１０の構成図である。
【００７３】
図１３においてテレビジョン受信機２１０は、ダブルチューナ部２２０と、ＥＰＧ処理部１３０と、中央演算処理部１４０と、映像音声制御部２５０と、映像表示部１６０と、音声出力部１７０と、リモコン受信部１８０と、外部インターフェイス部１９０から構成される。
【００７４】
そして、テレビジョン受信機２１０は図１３のように、ダブルチューナ部２２０にアンテナ１２１が接続され、外部インターフェイス部１９０にＤＶＤレコーダーなどの外部機器１９１が接続されている。また、リモコン受信部１８０はテレビジョン受信機１１０の外部にあるリモコン１８１からの赤外線による制御信号を受信する構成となっている。
【００７５】
図１３においてダブルチューナ部２２０はアンテナ１２１からアナログ及びデジタルテレビ放送波を受信し、映像信号に変換を行っている。
【００７６】
２画面映像・音声制御部２５０は、視聴・録画管理部１３８からの視聴処理に基づき、ダブルチューナ部２２０、或いは外部インターフェイス部１９０を介して接続されるＤＶＤレコーダーなどの外部機器１９１からの映像信号を、図１７で表されるメイン画面１７ａ、サブ画面１７ｂといった形式で表示できるように映像信号および制御を行う。
【００７７】
ＥＰＧ処理部１３０、中央演算処理部１４０、映像音声制御部１５０、映像表示部１６０、音声出力部１７０、リモコン受信部１８０、外部インターフェイス部１９０に関しては、実施の形態１の構成と同じであるため説明を省略する。
【００７８】
（２）電子番組ガイドの表示
次に、電子番組ガイドの表示について説明する。図１４は、本発明の実施の形態２における電子番組表ガイド表示方法により作成され、映像表示部１６０に表示された電子番組ガイド表示の図で、マイチャンネルが設定されている場合である。電子番組ガイドは、縦軸に時間帯、横軸に放送局を表示しており、図１４では１９時から２３時の時間帯（時間欄３ｂ）における番組を表示しており、右端からの４列は放送局の番組３ｄで、右から５列目はＥＰＧ処理部１３０のお好み番組分析部１３４で分析されたお好み番組３ｃを表示している。そして、左端の列はユーザーがお好み番組、あるいは、複数の放送局の番組から選択した番組を１つの放送局の番組表と同じようにまとめたマイチャンネルの表示欄３ａである。
【００７９】
マイチャンネル欄３ａは、データ保存部１３２に保存されているマイチャンネルデータが表示される。このマイチャンネルデータは、ユーザーが番組表より視聴指定、視聴予約、録画予約を行った複数のチャンネルの番組が集約された形で表示される。この表示において、視聴予約、録画予約を行った番組には、「視予」３ｆ・「録予」３ｇといったアイコンが該当番組の番組情報と同時に表示される。単に視聴指定のみ行った場合は、図１４の３ｈのように前記アイコン表示はされない。また、同一時間帯で１番組を視聴予約、１番組を録画予約した場合は、図４の３ｆ、３ｇのように１時間帯枠に２つの予約情報が表示される。
【００８０】
さらに、実施の形態２の電子番組ガイドの表示の特徴は、データ保存部１３２に保存されているマイチャンネルデータに同一時間帯に複数の番組が重複した場合、例えば、終了時間が２３時００分のプロ野球（巨人×中日戦）、開始時間が２２時５０分の人間ドキュメント（ＨＨＫ）を続けて視聴予約した場合、チャンネル生成・管理部１３５が番組の重複を管理し、番組表生成部１３６が図１４のようにマイチャンネルで複数番組が重複した２２時５０分から２３時００分までのマイチャンネル欄に黒地に白文字で「重複」３ｋの表示を行う。
【００８１】
その他の電子番組ガイドの表示は実施の形態１の電子番組ガイドの表示と同じであるため説明を省略する。
【００８２】
（３）電子番組ガイド表示方法
次に、電子番組ガイド表示方法については、実施の形態１の電子番組ガイド表示方法である図６と同じであるので説明を省略する。
【００８３】
（４）視聴指定／視聴予約・録画予約処理
次に電子番組ガイドを使用した視聴指定・視聴予約、録画予約処理について、図１５のフローチャートに従って説明する。
【００８４】
まず、図５のように同一時間帯にお好み番組が複数重なった場合、図２のリモコン１８１の矢印キー１８１ｆを使用し、カーソルを電子番組ガイド表の番組欄５ｂに移動後、決定ボタン１８１ｅを押すと図９のように視聴指定／視聴予約・録画予約ウインドウ９ａが表示される。視聴指定／視聴予約・録画予約ウインドウ９ａでは番組表より指定された番組の詳細情報がデータ管理部１３２のＥＰＧ情報より表示されると共に、視聴指定／視聴予約９ｂ、録画予約９ｃいずれかを選択するアイコンが表示される。そして、まず視聴指定／視聴予約９ｂを選択するかどうか確認される（Ｓ４１０）。
【００８５】
視聴指定／視聴予約・録画予約ウインドウ９ａにて、視聴指定／視聴予約９ｂを選択した場合、オリジナルの電子番組ガイドの放送時間で視聴するか選択する（Ｓ４２０）。そして、オリジナルの放送時間で視聴する場合、マイチャンネルの他の視聴と重複してれば複数画面で重複した番組を表示するかどうか確認する（Ｓ４３５）。
【００８６】
複数画面で重複した番組を表示する場合、視聴指定／視聴予約９ｂで視聴指定、視聴予約のどちらかを選択する（Ｓ４４０）。そして、ＥＰＧ処理部１３０のデータ管理部１３２にマイチャンネルのデータとして登録され、ＥＰＧ処理部１３０の番組表生成部１３６によって電子番組ガイドのマイチャンネル欄に表示される（Ｓ４５０）。視聴指定、あるいは、視聴予約の選択について、視聴指定を選択した場合は、指定された番組は図１４の３ｈのようにマイチャンネルには登録されるが視聴予約はされず、視聴指定した番組の開始時間となっても自動で番組の切換えは行われない。また視聴予約を選択した場合は、図１４の３ｆのようにマイチャンネルへの登録と視聴予約が同時に行われ、視聴予約した番組の開始時間に自動で番組の切換えが行われる。さらに、同一時間帯に視聴番組が重複した場合は、図１４の３ｋのようにマイチャンネル欄に黒地に白文字で「重複」３ｋの表示を行う
その他の視聴指定／視聴予約・録画予約処理は実施の形態１の視聴指定／視聴予約・録画予約処理と同じであるので説明は省略する。
【００８７】
（５）予約番組の視聴処理
次に、マイチャンネルによる予約番組の視聴処理について、図１６のフローチャートに従って説明する。
【００８８】
まず、ＥＰＧ処理部１３０はダブルチューナ部２２０から入力したＥＰＧ信号から現在時刻情報を取得し、現在時刻を設定する（Ｓ５１０）。データ管理部１３２に保存されているマイチャンネルデータを取得し（Ｓ５２０）、現在時刻にマイチャンネルのデータである視聴指定／視聴予約・録画予約の番組があるかどうかの確認を行う（Ｓ５３０）。そして、現在時刻にマイチャンネルのデータの番組があれば、データ管理部１３２の番組表データの該当番組の開始時間とマイチャンネルデータ（予約データ）で設定されている開始時間を比較して、マイチャンネルデータが録画予約の視聴時間帯であるかどうか確認する（Ｓ５４０）。マイチャンネルデータが録画予約の視聴時間帯の場合は、外部機器管理部１３７がデータ管理部１３２に保存されている外部機器情報データを取得し（Ｓ５５０）、視聴・録画管理部１３８で管理する予約情報と外部機器情報を基に外部インターフェイス１９０を介して対象の外部機器１９１に対し再生コマンドを発行する（Ｓ５６０）。
【００８９】
そして、次の視聴指定・視聴予約で開始・終了時間が重複しないか確認し（Ｓ５７０）、複数の番組が重複していなければ、１画面でマイチャンネルの番組映像を表示する（Ｓ５８０）。複数の番組が重複していれば、開始時間を優先し、図１７のように２画面のメイン画面１７ａで後番組を、サブ画面１７ｂで前番組を表示する（Ｓ５７１）。
【００９０】
例えば、図１４のように、終了時間が２３時００分のプロ野球（巨人×中日戦）と開始時間が２２時５０分の人間ドキュメント（ＨＨＫ）が重複している場合、２２時５０分より図１７のように人間ドキュメント（ＨＨＫ）がメイン画面１７ａに表示され、プロ野球（巨人×中日戦）はサブ画面１７ｂに表示される。サブ画面１７ｂでの映像表示は番組の終了時間（２３時００分）がくるか、またはリモコン１８１の戻るボタン１８１ｂを押すことにより表示終了し、リモコン１８１の２画面ボタン１８１ｄを押すことによりメイン画面１７ａ、サブ画面１７ｂの切換えが行われる。
【００９１】
（６）重複番組の２画面表示処理の説明
次に、視聴指定／視聴予約・録画予約処理において予約された２番組の開始・終了時間が重なっている場合は、図１７のように次予約番組を優先するかたちで２画面表示を行い重複する番組の視聴を可能とする。この２画面表示の表示方法について、図１８の重複番組の２画面表示処理のフローチャートに従って説明する。
【００９２】
まず、現在時刻に視聴指定・視聴予約が設定されているかの確認を行う為に、現在時刻の取得を行う（Ｓ７１０）。
【００９３】
次に、データ保存部１３２に保存されているマイチャンネルデータ（予約データ）の取得を行い（Ｓ７２０）、現在時間で視聴開始時間、終了時間が重複した視聴指定、視聴予約の確認と、開始時間の判定を行う（Ｓ７３０）。
【００９４】
次に、映像表示部１６０のメイン画面１７ａ、サブ画面１７ｂに表示する映像信号と、音声出力部１７０に出力する音声信号の判定を行うため、次視聴予約番組が外部機器からの再生映像・音声信号かの判定を行う（Ｓ７４０）。映像・音声信号の出力元が外部機器の場合は、メイン画面１７ａに外部機器１９１からの映像信号を表示すると共に、音声出力部１７０からは外部機器１９１からの音声信号を出力する（Ｓ７４１）。次視聴予約番組の映像・音声信号の出力元がダブルチューナ部２２０の場合は、メイン１７ａ画面にダブルチューナ部２２０からの映像信号を表示すると共に、音声出力部１７０からはダブルチューナ部２２０からの音声信号を出力する（Ｓ７４２）。
【００９５】
次に、映像表示部１６０のサブ画面１７ｂに表示する映像信号を判断するため、現在、映像表示部１６０に表示している映像信号の出力元がダブルチューナ部２２０であるかを判定する（Ｓ７５０）。現在、映像表示部１６０に表示している映像信号の出力元がダブルチューナ部２２０からの信号の場合は、サブ画面１７ｂにはダブルチューナ部２２０のサブチューナからの映像信号を表示し（Ｓ７５１）、現在、映像表示部１６０に表示している映像信号の出力元が外部機器の場合は、サブ画面１７ｂには外部機器１９１からの映像信号を表示する（Ｓ７５２）。
【００９６】
以上の信号制御を行い、次視聴予約番組の視聴開始時間が来た時点で、映像音声制御部１５０にて映像表示部１６０のメイン１７ａ画面、サブ画面１７ｂを生成する。この処理手順に従い、図１４の電子番組ガイドを元に表示例を紹介する。
【００９７】
例えば、終了時間が２３時００分のプロ野球（巨人×中日戦）、開始時間が２２時５０分の人間ドキュメント（ＨＨＫ）を続けて視聴予約した場合、図１７のように表示される。
【００９８】
２２時５０分よりダブルチューナ部２２０からの映像信号「人間ドキュメント（ＨＨＫ）」がメイン画面に表示され、外部機器からの再生映像「プロ野球（巨人×中日戦）」はサブ画面に表示される。サブ画面での映像表示は番組の終了時間（２３時００分）がくるかまたはリモコン１８１の戻るボタン１８１ｂを押すことにより表示終了し、リモコン１８１の２画面ボタン１８１ｄを押すことによりメイン画面、サブ画面の映像切換えが行われる。
【００９９】
（７）チャンネル切換処理
次にチャンネル生成・管理部１３６におけるチャンネル切替え処理について図１９のフローチャートに従って説明する。
【０１００】
まず、図２のリモコン１８１より送信されたリモコン信号をリモコン受信部１８０にて受信を行い（Ｓ８１０）、次にチャンネル生成・管理部１３６は現在時刻情報を取得し（Ｓ８２０）、その後、現在データ保存部１３２に保存されているマイチャンネルデータ（視聴予約データ）の予約情報の取得を行う（Ｓ８３０）。
【０１０１】
次に、受信したリモコン信号のチャンネル番号と設定したマイチャンネル番号が同一かどうかの判定を行い（Ｓ８４０）、両者が異なる場合は受信したチャンネル番号にチャンネル切換えを行う（Ｓ８４１）。チャンネル番号が同じ場合は、参照したマイチャンネルデータに現在時刻で視聴指示、視聴予約されている番組の有無の判定（Ｓ８５０）を行う。データ保存部１３２のマイチャンネルデータに視聴指定、視聴予約の登録が無い場合は、予約登録が無い旨のメッセージを表示しチャンネルの切換は行わない（Ｓ８５２）。視聴指示、視聴予約の登録がある場合はマイチャンネルデータに登録されている番組のチャンネルに切換えを行う（Ｓ８５１）。この際、外部機器１９１で録画した番組をオリジナルの放送時間後に視聴するように視聴予約した場合は、外部インターフェイス１９０を介して接続されている外部機器１９１に対し再生コマンドを発行するが、その処理フローは図１６の（Ｓ５６０）以降の処理手順と同じである。
【０１０２】
かかる構成によれば、お好み番組の選択条件と、情報抽出部で抽出された番組表データを用い、番組表生成部にて番組表が生成される。この番組表にはあらかじめユーザー指定で仮想チャンネルであるマイチャンネルが生成される。そのマイチャンネルにで番組の開始、終了時間が重複した視聴予約の場合は視聴・録画管理部１３８が重複した番組の２画面表示を映像音声制御部１５０に対し指示を行う。これら一連の機能により、番組の視聴タイミングを損なうことを防ぎ、さらには前番組の後半と後番組の前半が若干重なるような視聴予約の場合の視聴改善を可能とする。
【０１０３】
なお、マイチャンネルで複数番組が重複したとき、マイチャンネル欄に黒地に白文字で「重複」の表示を行ったが、重複した部分をポップアップして複数の番組が重複していることを詳細に記述しても良い。
【０１０４】
なお、複数番組の表示方法では２画面表示において次番組を優先してメイン画面に表示しているが、前番組をメイン画面に表示し次番組をサブ画面に表示する方式としても良い。またこの表示順に関しては、ユーザーが任意に指定可能な方式としても良い。
【産業上の利用可能性】
【０１０５】
本発明の電子番組ガイド表示装置および表示方法によれば、ユーザーが視聴予約（録画予約）を行った視聴予約チャンネルと他チャンネル間のチャンネル切換を容易とし、また予約番組の視聴タイミングを損なうことを軽減すると共に、視聴時間が若干重複するような番組の視聴において２画面表示にて両番組を視聴可能とするため、電子番組ガイド表示制御方法として有用である。
【図面の簡単な説明】
【０１０６】
【図１】本発明の実施の形態１における電子番組ガイド表示装置を搭載したテレビジョン受信機の構成を示すブロック図
【図２】図１に記載されているリモコンの外観図
【図３】本発明の実施の形態１における電子番組ガイド表示でマイチャンネルが設定されていない番組表の図
【図４】本発明の実施の形態１における電子番組ガイド表示でマイチャンネルが設定されている番組表の図
【図５】本発明の実施の形態１における電子番組ガイド表示で同一時間帯での重複したお好み番組の一覧表図
【図６】本発明の実施の形態１における電子番組ガイド表示装置における番組表生成のフローチャート
【図７】本発明の実施の形態１におけるマイチャンネルの設定表示画面の図
【図８】本発明の実施の形態１における視聴指定／視聴予約・録画予約処理のフローチャート
【図９】本発明の実施の形態１における視聴指定／視聴予約・録画予約の指定画面図
【図１０】本発明の実施の形態１における視聴処理のフローチャート
【図１１】本発明の実施の形態１における録画処理のフローチャート
【図１２】本発明の実施の形態１における外部接続機器の選択画面図
【図１３】本発明の実施の形態２における電子番組ガイド表示装置を搭載し２画面表示機能を有したテレビジョン受信機の構成を示すブロック図
【図１４】本発明の実施の形態２における電子番組ガイド表示でマイチャンネルが設定されている番組表の図
【図１５】本発明の実施の形態２における視聴指定／視聴予約・録画予約処理のフローチャート
【図１６】本発明の実施の形態２における視聴処理のフローチャート
【図１７】本発明の実施の形態２における電子番組ガイド表示装置による重複番組の２画面表示図
【図１８】本発明の実施の形態２における重複番組の２画面表示のフローチャート
【図１９】本発明の実施の形態２におけるチャンネル切換のフローチャート
【図２０】従来例の番組表図
【図２１】従来例のおすすめ判定・おすすめ番組表表示処理のフローチャート
【符号の説明】
【０１０７】
１１０    テレビジョン受信機
１２０    チューナ部
１２１    アンテナ
１３０    ＥＰＧ処理部
１３１    番組情報抽出部
１３２    データ保存部
１３３    番組選択条件入力部
１３４    お好み番組分析部
１３５    チャンネル生成・管理部
１３６    番組表生成部
１３７    外部機器管理部
１３８    視聴・録画管理部
１４０    中央演算処理部
１５０    映像音声制御部
１６０    映像表示部
１７０    音声出力部
１８０    リモコン受信部
１８１    リモコン
１８１ａ    メニューボタン
１８１ｂ    戻るボタン
１８１ｃ    番組表ボタン
１８１ｄ    ２画面ボタン
１８１ｅ    決定ボタン
１８１ｆ    矢印キー
１９０    外部インターフェイス部
１９１    外部機器
２１０    テレビジョン受信機
２２０    ダブルチューナ部
２５０    ２画面映像・音声制御部
【図１】
2007142923.tif 000003
【図２】
2007142923.tif 000004
【図３】
2007142923.tif 000005
【図４】
2007142923.tif 000006
【図５】
2007142923.tif 000007
【図６】
2007142923.tif 000008
【図７】
2007142923.tif 000009
【図８】
2007142923.tif 000010
【図９】
2007142923.tif 000011
【図１０】
2007142923.tif 000012
【図１１】
2007142923.tif 000013
【図１２】
2007142923.tif 000014
【図１３】
2007142923.tif 000015
【図１４】
2007142923.tif 000016
【図１５】
2007142923.tif 000017
【図１６】
2007142923.tif 000018
【図１７】
2007142923.tif 000019
【図１８】
2007142923.tif 000020
【図１９】
2007142923.tif 000021
【図２０】
2007142923.tif 000022
【図２１】
2007142923.tif 000023